(57)【要約】いくつかの例は、コンピューティング装置のプロセッサによって実行可能な命令で符号化された記憶媒体を開示しており、それらの命令は、無線装置がある周囲領域を越境したか否かを監視するために無線ネットワーク内に該周囲領域を画定する。さらに、それらの例は、無線装置に関連する信号データを受信するための命令を提供している。さらに、それらの例は、該信号データに基づいて該無線装置の位置を検出して、該無線装置が画定された該周囲領域を越境したか否かを判定するための命令を開示している。【選択図】図１
2015514366.tif 000002
【特許請求の範囲】
【請求項１】
コンピューティング装置のプロセッサによって実行可能な命令で符号化された非一時的な機械可読記憶媒体であって、
無線装置がある周囲領域を越境したか否かを監視するために、無線ネットワーク内に該周囲領域を画定し、
前記無線装置に関連する信号データを受信し、
前記信号データに基づいて前記無線装置の位置を検出して、前記無線装置が前記画定された周囲領域を越境したか否かを判定する
ための命令を含む機械可読記憶媒体。
【請求項２】
前記無線装置が前記画定された周囲領域を越境したという通知を送信するための命令をさらに含み、
前記通知は、電子メール、視覚表示、テキストメッセージ、及び、管理者設定オプションのうちの少なくとも１つを含む、請求項１の機械可読記憶媒体。
【請求項３】
前記無線装置が前記画定された周囲領域を越境したか否かに基づいてイベントを起動するための命令をさらに含み、
前記イベントは、前記無線ネットワーク内のサービスを利用するための前記無線装置へのアクセスを拒否することと、前記無線装置の機能を無効にすることとのうちの少なくとも１つを含む、請求項１の機械可読記憶媒体。
【請求項４】
前記無線装置の位置を検出することは、前記信号データを座標に変換して、前記無線装置の位置を検出するための命令をさらに含む、請求項１の機械可読記憶媒体。
【請求項５】
前記信号データは、前記無線装置と通信する無線アクセスポイントから受信される、請求項１の機械可読記憶媒体。
【請求項６】
前記周囲領域の越境は、前記無線装置が、前記画定された周囲領域外にあるかまたは前記画定された周囲領域内にあるときを含む、請求項１の機械可読記憶媒体。
【請求項７】
コンピューティング装置を備えるコンピューティングシステムであって、
前記コンピューティング装置は、
無線装置がある周囲領域を越境したか否かをモニタするために、無線ネットワーク内に該周囲領域を画定し、
前記無線装置に関連する信号データを受信し、
前記信号データに基づいて前記無線装置の位置を特定し、
前記無線装置が前記画定された周囲領域を越境したか否かを判定する
ためのプロセッサを備えることからなる、コンピューティングシステム。
【請求項８】
前記コンピューティング装置が、前記無線装置の位置を表示するためのディスプレイを備える、請求項７のコンピューティングシステム。
【請求項９】
前記無線ネットワーク内の無線アクセスポイントをさらに備え、
前記無線アクセスポイントは、前記無線装置から信号を受信し、及び、前記無線装置に関連する信号データを前記コンピューティング装置に送信することからなる、請求項７のコンピューティングシステム。
【請求項１０】
前記プロセッサを備える前記コンピューティング装置はさらに、前記無線装置が前記画定された周囲領域を越境したという通知を送る、請求項７のコンピューティングシステム。
【請求項１１】
前記プロセッサを備える前記コンピューティング装置はさらに、前記無線装置が前記画定された周囲領域を越境したか否かに基づいてイベントを起動し、前記イベントは、前記無線装置のタイプに依存する、請求項７のコンピューティングシステム。
【請求項１２】
コンピューティング装置によって実行される方法であって、
無線装置がある周囲領域を越境したか否かを監視するために無線ネットワーク内に前記周囲領域を画定することと、
前記無線装置に関連する信号データを受け取ることと、
前記信号データに基づいて前記無線装置の位置を検出して、前記無線装置が前記画定された周囲領域を越境したか否かを判定すること
を含む方法。
【請求項１３】
前記無線装置が前記画定された周囲領域を越境したという通知を送ることと、
前記無線装置が前記画定された周囲領域を越境したか否かに基づいてイベントを起動することと
のうちの少なくとも１つをさらに含み、
前記イベントは前記無線装置のタイプに依存する、請求項１２の方法。
【請求項１４】
前記信号データは無線アクセスポイントから受信され、
前記無線装置の位置を検出するために、前記信号データを座標に変換することをさらに含む、請求項１２の方法。
【請求項１５】
前記周囲領域は座標によって画定される、請求項１２の方法。
【発明の詳細な説明】
【技術分野】
【０００１】
セキュリティ及びネットワーク構築のために、種々のネットワーク間を横断する無線装置を監視してその位置を追跡することができる。各々の無線装置の位置を特定するために信号を用いて該無線装置を追跡することができる。
【図面の簡単な説明】
【０００２】
添付の図面において、同じ参照番号は同様の構成要素もしくはブロックを指示している。以下の詳細な説明では添付の図面を参照する。
【０００３】
【図１】無線（ワイヤレス）ネットワーク内の画定された周囲領域及び無線装置を含むコンピューティングシステムの１例のブロック図であって、該無線ネットワークは、該無線装置が該周囲領域を越境したか否かを監視するための信号データをコンピューティング装置に送信する（本明細書において、周囲領域を越境するとは、該周囲領域を画定している境界を通過することを意味する）。
【図２】画定された周囲領域及び無線装置を有する無線ネットワークを含むコンピューティングシステムの１例のブロック図であって、該コンピューティングシステムは、コンピューティング装置に信号データを送信する無線アクセスポイントに信号を送信する。
【図３】無線装置を監視するために周囲領域を画定するための物理的サイト（物理的な場所）の論理モデルを示す、無線アクセスポイントを含む無線ネットワークの１例のブロック図である。
【図４】無線ネットワーク内に周囲領域を画定するためのコンピューティング装置のブロック図であって、該コンピューティング装置は、無線装置が画定された該周囲領域を越境したか否か判定して通知を送信し及びあるイベントを起こすために、該無線装置を監視してその位置を検出する。
【図５】無線装置を監視するために周囲領域を画定し、及び信号データを受信して該無線装置の位置を検出するためにコンピューティング装置で実行される方法の１例のフローチャートであって、該コンピューティング装置は、さらに、該周囲領域を越境したことに基づいて通知を送信してあるイベントを起こす。
【発明を実施するための形態】
【０００４】
無線装置の位置を決定するために、信号を用いてその位置が推定される。１つの解決策は、衛星航法システム（GPS）を用いて無線装置を監視することである。GPSは、無線装置の位置を決定し及び追跡するために衛星型システムを使用する。しかしながら、この解決策は、特定の領域（該特定の領域を移動するように無線装置を制限することができる）を画定することにおいて柔軟性がない。むしろ、この解決策は、制限された領域には関係なく無線装置を追跡する。さらに、この解決策は、無線装置が該特定の領域から出たときに警告しまたはアクションを起こすためのメカニズムを提供しない。
【０００５】
別の解決策では、無線周波数（RF）技術を用いて無線装置を監視することができる。この解決策では、RF信号を送受信して無線装置の位置を特定する。しかしながら、無線装置の位置を追跡するために、無線装置を特殊な装置で識別する必要がある。
【０００６】
これらの問題に対処するために、本明細書に開示されている例示的な実施形態は、無線ネットワーク内に周囲領域を画定して、無線装置が該周囲領域を越境したか否か（すなわち該周囲領域の境界を通過したか否か）を判定するために該無線装置を監視するためのプロセッサを有するコンピューティング装置を提供する。周囲領域の越境を、該周囲領域の外側へと移動すること、または、該周囲領域内へと入ってくることとすることができる。これによって、管理者は、無線装置の移動領域を制限するために柔軟なやり方で周囲領域を画定することが可能になる。さらに、かかる領域制限によって、管理者は、共用資源の領域内で無線装置を管理することが可能になる。たとえば、複数の人及び装置間で共用されている空間領域がある場合には、選択された無線装置を監視することによって、その共用されている領域（共用領域）内で当該装置を管理することが可能になる。別の例では、セキュリティ上の理由などから、無線装置のアクセスが制限されている領域がありうる。
【０００７】
さらに、プロセッサは、無線装置の位置を検出して、該無線装置が画定された周囲領域を越境したか否かを判定するために、該無線装置に関連する信号データを受信する。この実施形態では、無線装置を識別するための特殊な装置は不要である。さらに、無線装置が画定された周囲領域の外側または内側へと移動したか否かを判定することによって、共用領域内で該無線装置を監視すること、借りた無線装置を追跡すること、及び／または、セキュリティ機能を提供することが可能になる。たとえば、周囲領域の越境は、無線装置が周囲領域内（たとえばセキュリティの高い領域内）に入ること、または、該周囲領域外に出ることを含むことができる。
【０００８】
別の実施形態では、コンピューティング装置は、無線装置が該周囲領域を越境したという通知を送信する。この実施形態では、共用領域内の借りた無線装置もしくは無線装置の管理者に、該無線装置にかかわるセキュリティ上の問題を知らせることができる。これはまた、無線装置を監視して、該無線装置が指定された領域内に確実に存在するようにする無線装置管理を提供する。したがって、無線装置が画定された周囲領域外にあるかまたは該周囲領域内へと入りつつあるときに適切な措置をとることができる。
【０００９】
さらに別の実施形態では、該通知には、電子メール、及び／または視覚表現、及び／または（携帯電話等による）テキストメッセージ、及び／または管理者が設定したオプション（以下、このオプションを管理者設定オプションという）が含まれる。これは、無線装置の位置を追跡している管理者や他のユーザーに、該無線装置が周囲領域を越境したことについて有益な通信を提供する。さらに、この通知を種々のやり方で伝達できるようにすることによって、該越境したことを伝えることができる柔軟で効率的なやり方が提供される。
【００１０】
さらに別の実施形態では、コンピューティング装置は、無線装置が周囲領域を越境したか否かに基づいてあるイベントを起動する。このイベントは、無線ネットワーク内のサービスを利用するための無線装置へのアクセスの拒否、及び／または無線装置の（または無線装置に対する）機能の無効化を含むことができる。この実施形態では、コンピューティング装置は、無線装置が周囲領域を越境したことに応答してあるアクションを起動する。これは、無線装置が画定された周囲領域内に確実に留まることができるようにするための追加のセキュリティ機能を提供する。さらに、この実施形態では、該イベントを、無線装置のタイプ（種類ないし型）に依存するものとすることができる。たとえば、無線アクセスポイント（WAP）などを介して、無線ネットワーク内で、無線装置を管理し及び制御することができ、したがって、該起動によって、該WAPの機能を無効にすることができる。さらに他の例では、無線装置を個人用装置（パーソナル装置）とすることができ、したがって、無線ネットワーク内でアクセスするためのサービスを拒否することができる。
【００１１】
要約すると、本明細書に開示されている例示的な実施形態は、無線装置の移動領域を制限するために周囲領域を画定する柔軟なやり方を提供する。これは、管理者に、制限された領域内で無線装置を管理し、監視し、及び追跡する能力、及び／または、借りた無線装置を追跡する能力を提供する。これは、さらに、無線装置が画定された周囲領域を越境したときに警告し及び／またはあるアクションを提供するための追加のセキュリティ機能としてのトリガーイベント（またはイベント起動）手段及び／または通知手段を提供する。
【００１２】
図１は、周囲領域１０８及び無線装置１１０を有して、コンピューティング装置１０２に信号データ１１２を送信する無線ネットワーク１０６を備えるコンピューティングシステム１００の１例のブロック図である。コンピューティング装置１０２はプロセッサ１０４を備えており、該プロセッサは、モジュール１１４において周囲領域１０８を画定し、モジュール１１６において信号データ１１２を受信して該信号データ１１２に基づいて無線装置１１０の位置を特定し、モジュール１１８において、無線装置１１０が周囲領域１０８を越境したか否かを判定する。コンピューティングシステム１００の実施形態には、コンピューティング装置１０２及び無線ネットワーク１０６を含むサーバーもしくはネットワークコンピューティングシステムもしくは他のコンピューティングシステムが含まれる。
【００１３】
無線ネットワーク１０６は、周囲領域１０８及び無線装置１１０を備える。無線ネットワーク１０６は、通信資源及び情報を共用できるようにするために通信チャンネルによって相互接続された２以上の無線装置１１０を備えることができる。無線ネットワーク１０６の実施形態には、無線装置１１０を監視するために周囲領域１０８を含むことができる広域ネットワーク（WAN）、ローカルエリアネットワーク（LAN）、パーソナルエリアネットワーク（PAN）、メッシュネットワーク、モバイルデバイスネットワーク、もしくは他の無線ネットワークが含まれる。
【００１４】
周囲領域１０８は、無線ネットワークの物理的な場所にある該無線ネットワークの特定の領域であって、無線装置１１０がこの周囲領域１０８を越境しつつあるか否かを監視するためのものである。さらに、図１では、周囲領域１０８は、点線で示されているように無線ネットワーク１０６の中央に配置されているが、実施形態はこれには限定されず、無線ネットワーク１０６内の任意の場所に該周囲領域を配置することができる。１実施形態では、周囲領域１０８は一組の座標によって画定される。別の実施形態では、周囲領域は管理者によって画定される。この実施形態では、管理者は、ビジュアルマッピング図によってコンピューティング装置１０２上で周囲領域１０８の位置を画定することができる。コンピューティング装置１０２は、記憶領域にこの周囲領域１０８を格納し、それを（用いて）無線装置１１０の位置と比較して、無線装置１１０が周囲領域１０８内にあるかまたはその外部へと移動しつつあるかを判定することができる。さらに、周囲領域１０８を小さな領域とすることができ、または、周囲領域１０８は、無線ネットワーク全体を含むことができる。これは、無線装置１１０が、静止しているか、無線ネットワーク１０６内の小さな領域内を移動するか、ある領域への移動が制限されているか、または、無線ネットワーク１０６全体内を移動するときに、領域制限及び追跡を提供する。
【００１５】
無線装置１１０は、無線ネットワーク１０６内または該ネットワーク外における該無線装置の位置ないし場所を追跡するために監視されることができる電子装置である。１実施形態では、無線装置１１０は、信号データ１１２をコンピューティング装置１０２に送る無線ネットワーク１０６内の無線アクセスポイントに信号を送信する。この実施形態では、無線アクセスポイントは、無線装置１１０から信号を受信して、この信号を、信号データ１１２の一部としての信号強度値に変換する。さらに、この実施形態では、コンピューティング装置１０２は、該信号強度値を含む信号データ１１２を受信して、その値を座標に変換する。これらの座標は、無線装置１１０の位置を特定する。この実施形態は図２に関して詳述される。別の実施形態では、無線装置１１０は、この信号を、信号データ１１２の一部としてコンピューティング装置１０２に送信することができる。さらに別の実施形態では、ある無線装置１１０の位置を特定することを要求している管理者などが、その無線装置１１０を選択的に監視することができる。この実施形態では、無線装置１１０を選択的に監視することによって、無線装置１１０を共用領域内で監視すること、及び／または、借りた装置を監視することが可能になる。さらに、図１では、無線装置１１０は周囲領域１０８内にあるが、これは、説明のためにそのように図示したものであって実施形態を限定するものではない。たとえば、無線装置を、無線ネットワーク１０６の外部や他の場所に配置することができる。無線装置１１０の実施形態には、それ自体の位置を決定するために信号を送信することができるクライアント装置、パーソナルコンピューター、デスクトップコンピューター、ラップトップ（ラップトップ機ないしラップトップコンピューターのこと）、モバイル装置、タブレット、プリンター、無線アクセスポイント（WAP）、電子装置、もしくはその他の無線装置１１０が含まれる。
【００１６】
信号データ１１２は、プロセッサ１０４を有するコンピューティング装置１０２に送られる。具体的には、信号データ１１２は、プロセッサがモジュール１１６において無線装置１１０の位置を特定できるようにする、該無線装置１１０に関連するデータを含んでいる。１実施形態では、無線装置１１０は、信号データ１１２をコンピューティング装置１０２に送信することができる無線アクセスポイントに信号を送信する。これについては、後の図面に関して詳しく説明する。別の実施形態では、信号データ１１２は、無線装置１１０からの信号を含むことができる。この信号と信号データ１１２との違いは、コンピューティング装置１０２と通信する無線サクセスポイントがあるか否かに依存する。たとえば、無線装置がコンピューティング装置１０２に該信号を送信している間に、無線アクセスポイントはコンピューティング装置１０２に該信号データを送信することができる。信号データ１１２の実施形態には、無線装置１１０の位置を特定するために該無線装置に関連付けられた座標、信号強度、信号周波数、信号タイミング、もしくは他のタイプの信号データが含まれる。１実施形態では、信号データ１１２は座標に変換される。この実施形態については、図４に関して詳細に後述する。
【００１７】
コンピューティング装置１０２は信号データ１１２を受信する。コンピューティング装置１０２の実施形態には、信号データ１１２を受信して無線装置１１０の位置を決定するのに適したクライアント装置、パーソナルコンピューター、デスクトップコンピューター、ラップトップ、モバイル装置、タブレット、もしくは他のコンピューティング装置が含まれる。
【００１８】
プロセッサ１０４は、モジュール１１４において無線ネットワーク１０６内に周囲領域１０８を画定し、モジュール１１６において無線装置１１０に関連する信号データ１１２を受信して該無線装置１１０の位置を特定し、及び、モジュール１１８においてその位置が周囲領域１０８を越境したか否か（または越境しているか否か）を判定する。プロセッサ１０４の実施形態には、モジュール１１６において、信号データ１１２を受信して無線装置の位置を特定し、及び、モジュール１１８において、該無線装置が該周囲領域を越境したか否かを判定することができるマイクロチップ、チップセット、電子回路、マイクロプロセッサ、半導体、マイクロコントローラ、中央処理装置（CPU）、グラフィックスプロセッシングユニット（GPU）、ビジュアルプロセッシングユニット（VPU）、もしくは他のプログラマ可能な装置ないしデバイスが含まれる。
【００１９】
モジュール１１４は、無線ネットワーク１０６内に周囲領域１０８を画定する。さらに、周囲領域１０８は、無線装置１１０がこの周囲領域１０８を越境しつつあるときを検出するために監視される無線ネットワーク１０６の領域である。この実施形態では、越境が定義される。たとえば、この越境は、無線装置１１０が周囲領域１０８の外に出ることを含むことができ、または、無線装置１１０が周囲領域１０８の中に入ることを含むことができる。１実施形態では、モジュール１１４は、周囲領域１０８を画定するために座標を利用する。無線装置１１０の位置が周囲領域１０８を越境したか否か（または越境しているか否か）を判定するためにそれらの座標を用いることができる。別の実施形態では、後の図面に関して詳述するように、無線装置１１０の位置を特定して、該無線装置１１０が周囲領域１０８を越境しているか否かを判定するためにモジュール１１４とモジュール１１６が結合される。モジュール１１４の実施形態には、周囲領域１０８を画定することができる、プロセッサ１０４によって実行可能な一組の命令、またはファームウェア、またはソフトウェア、または他の命令セットが含まれる。
【００２０】
モジュール１１６は、無線装置１１０の位置を特定する。具体的には、プロセッサ１０４は、信号データ１１２を受信すると、無線装置１１０の位置を特定することができる。この実施形態では、モジュール１１６は、信号強度から無線装置１１０の位置を決定することができる。プロセッサ１０４は、信号強度を分析することによって、無線装置１１０が無線ネットワーク１０６内にあるか該ネットワーク外にあるかを判定することができる。したがって、モジュール１１６において、該プロセッサは、必ずしも、無線装置１１０が無線ネットワーク１０６内にある場合に限られずに、無線装置１１０の位置を決定することができる。モジュール１１６の実施形態には、無線装置１１０の位置を特定することができる、プロセッサ１０４によって実行可能な一組の命令、またはファームウェア、またはソフトウェア、または他の命令セットが含まれる。
【００２１】
モジュール１１８は、無線装置１１０が画定された周囲領域１０８を越境したか否かを判定する。「周囲領域１０８を越境した」には、無線装置が周囲領域１０８内に入りつつあるかまたは該周囲領域外に出つつあるかが含まれる。モジュール１１８の実施形態には、無線装置１１０が周囲領域１０８を越境したか否かを判定することができる、プロセッサ１０４によって実行可能な一組の命令、またはファームウェア、またはソフトウェア、または他の命令セットが含まれる。モジュール１１８の１実施形態では、越境したことの通知が送られるが、別の実施形態では、無線ネットワーク１０６に対するサービスまたは無線装置１１０の機能を無効にするためにあるイベントが起動される。これらの実施形態については、図４に関して詳細に説明する。
【００２２】
図２は、周囲領域２０８と無線アクセスポイント２２２に信号２２０を送信する無線装置２１０とを有する無線ネットワーク２０６を備えるコンピューティングシステム２００の１例のブロック図である。さらに、無線アクセスポイント２２２は、コンピューティング装置２０２に信号データ２１２を送信する。コンピューティング装置２０２は、モジュール２１４〜２１８を実行するためのプロセッサ２０４と、モジュール２２６において無線装置２１０の位置を表示ないし描画するためのディスプレイ（表示装置）２２４とを備える。コンピューティング装置２０２、無線ネットワーク２０６及び周囲領域２０８は、図１のコンピューティング装置１００、無線ネットワーク１０６のそれぞれと構成及び機能において類似のものとすることができる。
【００２３】
周囲領域２０８及び無線装置２１０は無線ネットワーク２０６内に含まれている。無線装置２１０は、無線アクセスポイント２２２に信号２２０を送る。周囲領域２０８、無線装置２１０を、図１の周囲領域１０８、無線装置１１０のそれぞれと構成及び機能において類似のものとすることができる。
【００２４】
信号２２０は、無線装置２１０の位置を特定するために、無線装置２１０から無線アクセスポイント２２２に時間的及び／または空間的順序に関する量（たとえば数量）を含むことができるデータを伝えるものである。具体的には、信号２２０は、無線アクセスポイントにおいて符号化されまたは復号化されることができる信号データ２１２を含む。別の実施形態では、信号２２０は定期的に送信され、他の実施形態では、信号２２０は、ネットワーク管理者が無線装置２１０の位置を要求できるとき（または要求する可能性があるとき）に送信される。信号２２０の実施形態には、無線装置２１０の位置を伝送可能な無線周波数（RF）信号、ベクトル信号、アナログ信号、デジタル信号、もしくは他のタイプの信号が含まれる。
【００２５】
無線アクセスポイント２２２は、無線装置２１０から信号２２０を受信し、及び、コンピューティング装置２０２に信号データ２１２を送信する。無線アクセスポイント（WAP）２２２は、（無線装置２１０が）遠隔通信（または電気通信）サービス及び／またはインターネットサービスなどのサービスを利用するために、無線装置２１０が無線ネットワーク２０６に接続できるようにする装置である。１実施形態では、無線アクセスポイント２２２は、信号２２０を受信して、該信号２２０を、コンピューティング装置２０２へと信号データ２１２で送信される信号強度値に変換する。コンピューティング装置２０２は、無線装置２１０の位置を特定するための座標に変換するために信号強度値を使用する。
【００２６】
無線アクセスポイント２２２が信号２２０を受信すると、無線アクセスポイント２２２から信号データ２１２が送信される。無線装置２１０の位置の情報を伝送するために、信号データ２１２を符号化しまたは復号化することができる。信号データ２１２を、図１の信号データ１１２と機能において類似のものとすることができる。
【００２７】
コンピューティング装置２０２及びプロセッサ２０４は、無線アクセスポイント２２２から信号データ２１２を受信する。コンピューティング装置２０２、プロセッサ２０４を、図１のコンピューティング装置１０２、プロセッサ１０４のそれぞれと構成及び機能において類似のものとすることができる。
【００２８】
モジュール２１４は、無線ネットワーク２０６内に周囲領域２０８を画定する。プロセッサ２０４が信号データ２１２を受信すると、モジュール２１６は、無線装置２１０の位置を特定する。この実施形態では、信号データ２１２は信号強度値を含んでいるので、プロセッサ２０４は、無線装置２１０が、無線ネットワーク２０６内にあるかまたは該ネットワーク外にあるかを判定することができる。たとえば、無線装置２１０が、無線アクセスポイント２２２から離れるほど信号強度値は小さくなり、無線装置２１０が無線アクセスポイント２２２に近づくほど信号強度値は大きくなるようにすることができる。モジュール２１６において無線装置２１０の位置が特定されると、モジュール２１８は、無線装置２１０が、モジュール２１４で画定された周囲領域２０８を越境したか否かを判定する。モジュール２１４〜２１８を、図１のモジュール１１４〜１１８のそれぞれと機能において類似のものとすることができる。
【００２９】
ディスプレイ２２４は、モジュール２２６において、無線装置２１０の位置を表示ないし描画する。無線装置２１０の位置を表示ないし描画することによって、管理者は、その位置の視覚表現を見ることができる。ディスプレイ２２４の実施形態には、モジュール２２６において無線装置の位置を表示ないし描画できるコンピューティングスクリーン（コンピューターで使用されるスクリーンなど）、コンピューティングモニタ（コンピューターで使用されるモニタなど）、パネル、プラズマスクリーン、液晶表示装置（LCD）、薄膜、プロジェクション（スクリーンなどへの投射など）、もしくは他の表示技術が含まれる。
【００３０】
モジュール２２６は、ディスプレイ２２４に無線装置２１０の位置を表示ないし描画する。モジュール２２６の実施形態には、ディスプレイ２２４に無線装置の位置を表示ないし描画できる、プロセッサ２０４によって実行可能な一組の命令、またはファームウェア、またはソフトウェア、または他の命令セットが含まれる。
【００３１】
図３は、物理的サイト（物理的な場所）の論理モデルを示す周囲領域３０８を含む無線ネットワーク３０６の１例のブロック図であり、該ネットワークは、周囲領域３０８を画定して、（無線装置３１０が）該周囲領域３０８内を移動しているか否かを確認するために無線装置３１０を監視する。具体的には、図３は、いくつかの円状のもの（すなわちテーブル）及びいくつかの長方形状のもの（すなわち机）がある３つの部屋に分かれた無線ネットワーク３０６を示す物理的サイトの論理モデル（すなわちビジュアルマップ）である。管理者は、この論理モデルを使って周囲領域３０８の境界を画定することができる。図３では、無線ネットワーク３０６は３つの部屋に分かれた１つの構成として示されているが、任意の数の構成をなすように無線ネットワーク３０６を構成することができるので、実施形態は、図示の構成には限定されない。たとえば、無線ネットワーク３０６は、１つの大きな部屋またはいくつかのより小さな部屋を含むことができる。無線ネットワーク３０６を、図１及び図２の無線ネットワーク１０６及び２０６のそれぞれと構成及び機能において類似のものとすることができる。
【００３２】
周囲領域３０８は、無線装置３１０の移動（範囲）を制限するための領域として画定される。周囲領域３０８を、無線ネットワーク３０６内の周囲の物理的構成に関係なく画定することができる。たとえば、周囲領域３０８は、この領域３０８内で無線装置３１０を追跡するための３つの机を有する共用領域を含むが、右上の部屋の左隅にある１つの机を周囲領域３０８の一部として含まないものとすることができる。別の例では、無線装置３１０を固定位置に制限することができ、それゆえ、周囲領域３０８を、１つの机を含む空間内のはるかに小さなものとして画定することができる。周囲領域３０８を、図１及び図２の周囲領域１０８及び２０８のそれぞれと構成及び機能において類似のものとすることができる。
【００３３】
無線装置３１０は、無線ネットワーク３０６内の右上の部屋にある周囲領域３０８内で追跡される。１実施形態では、周囲領域３０８内のこの無線装置の位置をディスプレイに表示（または描画）することができる。たとえば、無線装置３１０は、周囲領域３０８内の机の間にあるものとしてディスプレイに表示される場合がある。別の例では、無線装置３１０は、図３の一番下にあるテーブルの近くにあるものとして表示される場合がある。この例では、周囲領域３０８の越境は、周囲領域３０８が上記の３つの机を含むものとして画定されている場合に起こりうる。別の実施形態では、周囲領域３０８の越境が起こると、通知またはトリガーイベント（ある動作を引き起こすイベント）を送ることができる。たとえば、無線装置３１０は、無線ネットワーク１０６内のコンピューティング装置１０２によって管理される装置を含むことができ、この装置が周囲領域１０８を出たときに、無線ネットワーク１０６はその機能を無効にすることができる。無線装置３１０を、図１及び図２の無線装置１１０及び２１０のそれぞれと構成及び機能において類似のものとすることができる。
【００３４】
無線アクセスポイント３２２は、無線装置３１０から信号を受信して、該信号をコンピューティング装置に送信する。さらに、無線アクセスポイント３２２を、無線ネットワーク３０６内の任意の数の場所に配置することができる。無線アクセスポイント３２２を、図２の無線アクセスポイント２２２と構成及び機能において類似のものとすることができる。
【００３５】
図４は、周囲領域を画定して、該周囲領域の越境に関して無線装置を監視するためのコンピューティング装置４００の１例のブロック図である。さらに、この例のコンピューティング装置４００は、通知を送ることができ、及び／または、あるイベント（トリガーイベント）を起動することができる。この通知は、電子メール、及び／または視覚表現、及び／または（携帯電話等による）テキストメッセージ、及び／または管理者設定オプションのうちの少なくとも１つを含むことができる。該イベントは、無線ネットワーク内のサービスを利用するための無線装置へのアクセスの拒否、及び／または、無線装置の機能の無効化のうちの少なくとも１つを含むことができる。コンピューティング装置４００は、プロセッサ４０２及び機械可読記憶媒体４０４を備えているが、当業者に都合のよい他の構成要素を備えることもできる。たとえば、コンピューティング装置４００は、図２のディスプレイ２２４を備えることができる。さらに、コンピューティング装置４００を、図１及び図２のコンピューティング装置１０２及び２０２のそれぞれと構成及び機能において類似のものとすることができる。
【００３６】
プロセッサ４０２は、命令４０６、４０８、４１０、４１２、４１４、４１６，４１８、４２０、４２２、４２４、４２６、及び４２８をフェッチし（取り出し）、復号化（デコード）して実行することができる。プロセッサ４０２を、図１及び図２のプロセッサ１０４及び２０４のそれぞれと機能及び構成において類似のものとすることができる。具体的には、プロセッサ４０２は、無線ネットワーク内に周囲領域を画定する命令４０６、無線装置に関連する信号データを受信する命令４０８、無線装置の位置を検出する命令４１０、該信号データを座標に変換する命令４１２、通知を送る命令４１４、イベントを起動する命令４２４を実行する。さらに、プロセッサ４０２は、命令４１４において、電子メール命令４１６、視覚表示命令４１８、（携帯電話等による）テキストメッセージ命令４２０、及び管理者設定オプション命令４２２のうちの少なくとも１つの通知を含めるための命令を実行することができる。さらに、プロセッサ４０２は、命令４２４において、アクセス拒否命令４２６と無線装置の機能無効化命令４２８のうちの少なくとも１つのイベントを含めるための命令を実行することができる。
【００３７】
機械可読記憶媒体４０４は、プロセッサ４０２がフェッチし、復号化し、及び実行するための命令４０６、４０８、４１０、４１２、４１４、４１６、４１８、４２０、４２２、４２４、４２６、及び４２８を含むことができる。機械可読記憶媒体４０４を、実行可能命令を含むかまたは格納する電子装置、磁気装置、光学装置、メモリ、記憶装置、フラッシュドライブ、もしくは他の物理的装置とすることができる。したがって、機械可読記憶媒体４０４は、たとえば、ランダムアクセスメモリ（RAM）、電気的消去可能PROM（EEPROM）、記憶装置、メモリーキャッシュ、ネットワークストレージ、CDROM（CD-ROMとも記載する）などを含むことができる。そのため、機械可読記憶媒体４０４は、機械可読記憶媒体４０４の命令をフェッチし、復号化し、及び／または実行するプロセッサ４０２とは独立に及び／または該プロセッサと共に利用することができるアプリケーション及び／またはファームウェアを含むことができる。このアプリケーション及び／またはファームウェアを、機械可読記憶媒体４０４に格納することができ、及び／または、コンピューティング装置４００の別の場所に格納することができる。
【００３８】
命令４０６は、無線装置が周囲領域を越境したか否かについて該無線装置を監視できるようにするために、無線ネットワーク内に該周囲領域を画定する。命令４０６の１実施形態では、管理者は、無線ネットワークを示す可視のイラスト（図など）上で周囲領域を画定することができる。これに関して、管理者は、移動領域を制限することによって無線装置を管理することができる。これはまた、移動領域を制限することによって、または、無線装置が入ることが禁止されている領域を指定することによって、周囲領域の越境を規定することを可能にする。
【００３９】
命令４０８は、無線装置に関連する信号データを受信する。この信号データは、無線装置が周囲領域を越境したか否かを判定するために、該無線装置の位置を示す。１実施形態では、信号データは、無線装置からある信号を受信する無線アクセスポイントから受信される。別の実施形態では、信号データは無線装置から受信される。この実施形態では、信号データは該ある信号を含んでいる。さらに別の実施形態では、信号データは、無線装置の位置を検出するために座標に変換される。
【００４０】
命令４１０は、命令４０８で受信した信号データを利用して無線装置の位置を検出する。命令４１０の１実施形態では、コンピューティング装置４００は、（無線装置の位置を検出するための）信号強度などの信号データを受信することによって無線装置の位置を検出することができる。別の実施形態では、命令４１０は、該位置を検出するために、信号データを（１以上の）座標に変換するための命令４１２を含む。
【００４１】
命令４１２は、無線装置の位置を検出するために、命令４０８で受信した信号データを座標に変換する。この実施形態では、信号データは、コンピューティング装置４００が無線装置の位置を検出できるようにする信号強度もしくは周波数もしくは他のタイプのデータを含むことができ、（１以上の）座標に変換される。コンピューティング装置４００は、無線装置の位置に関する（１以上の）座標を用いて、それらの（１以上の）座標を、命令４０６で周囲領域を画定するために使用された他の（１以上の）座標と比較して、該無線装置が画定された周囲領域を越境したか否かを判定することができる。
【００４２】
命令４１４は、命令４１０で無線装置が周囲領域を越境したと判定されると通知を送る。命令４１４の１実施形態では、この通知は、命令４１６における電子メール、及び／または命令４１８における視覚表示、及び／または命令４２０におけるテキストメッセージ、及び／または命令４２２における管理者設定オプションとして送信することができる。
【００４３】
命令４１６は、無線装置が命令４０６において画定された周囲領域を越境すると、管理者に知らせるための電子メールを送信する。コンピューティング装置は、無線装置が命令４０６において画定された周囲領域を越境したことを検出すると、無線装置の位置を伝える電子メールを送信する。命令４１８は、無線装置が命令４０６において画定された周囲領域を越境すると、視覚表示を送信する。命令４２０は、無線装置が命令４０６において画定された周囲領域を越境すると、テキストメッセージを送信する。
【００４４】
命令４２２は、無線装置が命令４０６において画定された周囲領域を越境したことの通知として送信される管理者設定オプションを含む。この実施形態では、管理者は、それらの通知を受け取る方法を設定することができる。これは、通信がいくつかの異なる種類の通信に制限される可能性がある場合に、管理者に柔軟性を提供する。たとえば、管理者は、あるコンピューターにアクセスできない場合があるので、該通知を電話呼び出しとして受け取るように設定することができる。別の実施形態では、命令４２２は、無線装置が周囲領域を越境したときのサイレンによる通知を含むことができる。
【００４５】
命令４２４は、無線装置が命令４０６において画定された周囲領域を越境するとあるイベントを起動する。この実施形態では、無線装置のタイプ（種類ないし型）を、命令４２４で起動されるイベントのタイプ（種類）に依存するものとすることができる。たとえば、命令４２６は、無線ネットワーク内のサービスを利用するための無線装置へのアクセスを拒否することを含み、命令４２８は、無線装置の（または無線装置に対する）機能を無効にする。命令４２８を、無線ネットワークの管理者によって管理される無線装置においてプログラムすることができ、一方、ユーザーの個人用無線装置の機能を無効にすることはできず、さらに、該個人用無線装置は、拒否された該無線ネットワーク内のサービスにアクセスすることができる。
【００４６】
図５は、周囲領域を画定し、信号データを受信し、及び位置を検出して、無線装置が該画定された周囲領域を越境したか否かを判定するために、コンピューティング装置で実行される方法の１例のフローチャートである。図５は、図１、図２及び図４のコンピューティング装置１０２、２０２、及び４００で実行されるものとして説明されるが、図５は、当業者には明らかなように他の適切な構成要素で実行することもできる。たとえば、図５を、図４の機械可読記憶媒体４０４などの機械可読記憶媒体にある実行可能命令の形態で実施することができる。
【００４７】
処理５０２において、コンピューティング装置は、無線ネットワーク内に周囲領域を画定して、無線装置がこの画定された周囲領域を越境したか否かを監視する。１実施形態では、管理者がこの周囲領域を画定することができる。この実施形態では、周囲領域を座標として解釈することができ、管理者は、その解釈にしたがって周囲領域を調整及び再調整することができる。これは、無線装置に領域制限を課すための柔軟なやり方を提供する。さらに、この周囲領域は、固定位置に制限されていることを示す非常に小さなものである場合もあれば、無線装置がある領域を動き回ることができることを示すより大きなものである場合もある。別の実施形態では、周囲領域を画定する（５０２）ということにより、管理者は、無線装置が中に入ることまたは外に出ることが制限された領域を画定することによって、越境を指定することが可能になる。
【００４８】
処理５０４において、コンピューティング装置は、無線装置に関連する信号データを受信する。無線装置に関連する信号データは、コンピューティング装置が無線装置の位置を決定することを可能にする。１実施形態では、処理５０４を処理５０２と同時に行うことができ、別の実施形態では、処理５０２は処理５０４の前に行われる。別の実施形態では、処理５０４は、処理５０６において無線装置の位置を決定できるようにするために、信号データを一組の座標に変換することができる。
【００４９】
処理５０６において、コンピューティング装置は、処理５０４において受信した信号データに基づいて、無線装置の位置を検出する。
【００５０】
処理５０８において、コンピューティング装置は、処理５０６において無線装置が画定された周囲領域を越境した（または越境している）と判定すると、ある通知を送る。処理５０８の１実施形態では、この通知は、電子メール、及び／または視覚表示、及び／または（携帯電話等による）テキストメッセージ、及び／または管理者設定オプションのうちの少なくとも１つを含むことができる。
【００５１】
処理５１０において、コンピューティング装置はあるイベントを起動する。１実施形態では、このイベントは、無線ネットワーク内のサービスを利用するための無線装置へのアクセスの拒否、及び／または無線装置の機能の無効化のうちの少なくとも１つを含むことができる。別の実施形態では、イベントのタイプ（種類）は無線装置のタイプ（種類ないし型）に依存する。たとえば、コンピューティング装置は、携帯電話などの無線装置を制御し及び／または管理することができ、したがって、コンピューティング装置は、無線装置の（または該無線装置に対する）遠隔通信（電気通信）を切断することなどによって、無線装置の機能を無効にすることができる。さらに別の例では、無線装置は、無線ネットワークからインターネットにアクセスすることを試みることができる。この例では、無線装置はラップトップを含むことができ、したがって、このラップトップが処理５０２で画定された周囲領域を越境すると、無線アクセスポイントは、ラップトップのアドレスを用いて、該ラップトップのインターネットへのアクセスを阻止することができる。別の実施形態では、コンピューティング装置は、処理５０６において、無線装置が周囲領域を越境していると判定すると、処理５０８または処理５１０を実行することができる。さらに別の実施形態では、処理５０８を、処理５０６に加えて実行することができる。
【００５２】
要約すると、本明細書に開示されている例示的な実施形態は、無線装置の移動領域を制限するために周囲領域を画定するための柔軟なやり方を提供する。これは、管理者に、制限された領域内で無線装置を管理し、監視し、及び追跡し、及び／または、借りた無線装置を追跡する能力を提供する。さらに、これは、無線装置が画定された周囲領域を越境したときに警告し及び／またはアクションを提供する追加のセキュリティ機能としてのトリガーイベント及び／または通知も提供する。
【図１】
2015514366.tif 000003
【図２】
2015514366.tif 000004
【図３】
2015514366.tif 000005
【図４】
2015514366.tif 000006
【図５】
2015514366.tif 000007
【国際調査報告】
2015514366.tif 000008
2015514366.tif 000009